(57)【要約】【課題】手間や時間を低減できる簡単な作業により、隣り合う什器の天板同士の間隔や、天板と壁との間隔を一定に保持することができる。【解決手段】天板１０と、床面Ｆ上に設置されて天板１０を支持する天板支持脚１１と、天板支持脚１１の下端に設けられるベース部材３１の後端３１ｂから水平方向にスライドさせることにより出没可能に設けられたスペーサー２０と、を備え、スペーサー２０は、上面視で、ベース部材３１の内側に収納された状態でスペーサー先端部２０ａが天板１０の内方に位置した収納位置Ｐ１と、スペーサー先端部２０ａが天板１０の外周端部よりも張り出した張出し位置Ｐ２と、の間でスライド可能に設けられている構成の什器を提供する。【選択図】図１
2019062941.tif 000002
【特許請求の範囲】
【請求項１】
天板と、床面上に設置されて前記天板を支持する脚部と、該脚部の下端に設けられるベース部材の側面から水平方向に出没可能に設けられたスペーサーと、を備えた什器であって、
前記スペーサーは、上面視において、前記ベース部材に収納された状態でスペーサー先端部が前記天板の内方に位置した収納位置と、前記スペーサー先端部が前記天板の外周端部よりも張り出した張出し位置と、の間で位置変更可能に設けられていることを特徴とする什器。
【請求項２】
前記ベース部材は、一方向に延在する形状をなし、
前記スペーサーの前記収納位置から前記張出し位置への方向は、前記ベース部材の延在方向に一致していることを特徴とする請求項１に記載の什器。
【請求項３】
前記スペーサーは前記ベース部材の延在方向の端部に対して出没可能にスライドすることを特徴とする請求項１または２に記載の什器。
【請求項４】
前記スペーサー先端部の外周部の少なくとも一部が前記スペーサーのスライド方向とは異なる方向で前記スペーサー先端部の外方に向けて張り出し、又は前記スペーサー先端部の内方に向けて凹む収納位置決め係止部が設けられ、
前記スペーサーは、前記収納位置において、前記収納位置決め係止部が前記ベース部材に係止して収納方向への移動が規制されていることを特徴とする請求項３に記載の什器。
【請求項５】
前記天板が前記脚部によって昇降可能に支持されていることを特徴とする請求項１乃至４のいずれか１項に記載の什器。
【請求項６】
前記ベース部材は、筒状部材からなり、該ベース部材の下面には下壁を貫通する支持部を有するアジャスターを備え、
前記スペーサーの下面には、前記支持部が挿通され前記スペーサーの移動方向に延びる開口が形成されていることを特徴とする請求項１乃至５のいずれか１項に記載の什器。
【発明の詳細な説明】
【技術分野】
【０００１】
本発明は、什器に関する。
【背景技術】
【０００２】
従来、オフィスや公共施設等の執務空間においては、執務者に作業エリアを提供するためにデスクが用いられている。このような作業用のデスク等では、部屋の中央部に単体で設置されて使用されることがあり、そのような場合には天板の四方から利用し易くするために、上面視で、脚端部が天板の内方の位置に収まっていることが好ましい。
【０００３】
一方で、複数のデスクを背中合わせに対向させて配置する場合や、壁付けにして配置する場合には、天板同士の間の隙間、或いは壁と天板との間の隙間にペン等の物体が挟み込まれ易い。とくに、天板が昇降可能な構造となる場合には、前記隙間に物体が挟まったまま、天板を昇降すると前記物体が損傷するおそれがあった。
【０００４】
そこで、デスクの天板同士を突き合わせたときに、天板同士の間に物体が挟まり難い所定の大きさ（例えば２ｃｍ以上）の隙間を積極的に設ける構成として、例えば特許文献１に示すようなデスク装置が知られている。特許文献１には、天板と、床面上に設置されて天板を支持する脚部と、脚部の下端に設けられるベース部材の下面から突出するように設けたスペーサー部材を、他のデスクのスペーサー部材に突き当てることで、天板同士の隙間を一定に保つ構成が開示されている。
【先行技術文献】
【特許文献】
【０００５】
【特許文献１】特開２０１６−８７０３０号公報
【発明の概要】
【発明が解決しようとする課題】
【０００６】
しかしながら、従来のデスクでは、以下のような問題があった。
すなわち、重量物を載せて作業するような作業台として使用されるデスクの場合、天板、脚部、及びベース部材に剛性をもたせており、重量も大きくなっている。そのため、上述したようなデスクを背中合わせに対向させて配置する場合や、壁付けにして配置する場合において、特許文献１に示すようなベース部材の下面に設けられたスペーサー部材を突出するように操作する際に、例えばベース部材の下面が見える状態となるようにデスクを持ち上げたり、横向きに傾ける等、作業時の取り扱いに手間と時間がかかるという問題があり、その点で改善の余地があった。
【０００７】
本発明は、上述する問題点に鑑みてなされたもので、手間や時間を低減できる簡単な作業により、隣り合う什器の天板同士の間隔や、天板と壁との間隔を一定に保持することができる什器を提供することを目的とする。
【課題を解決するための手段】
【０００８】
上記目的を達成するため、本発明に係る什器は、天板と、床面上に設置されて前記天板を支持する脚部と、該脚部の下端に設けられるベース部材の側面から水平方向に出没可能に設けられたスペーサーと、を備えた什器であって、前記スペーサーは、上面視において、前記ベース部材に収納された状態でスペーサー先端部が前記天板の内方に位置した収納位置と、前記スペーサー先端部が前記天板の外周端部よりも張り出した張出し位置と、の間で位置変更可能に設けられていることを特徴としている。
【０００９】
本発明では、ベース部材を床面上に設置した状態のままベース部材の側面から水平方向にスペーサーを収納位置と張出し位置との間での位置を容易に変更することができるので、スペーサーを収納位置と張出し位置との間で出没させる作業にかかる手間と時間を低減することができる。
【００１０】
スペーサーの張出し方向に沿って什器同士を並べて配置する際には、什器同士のそれぞれのスペーサーを位置変更させてベース部材から張り出すことで、各スペーサー先端部が天板の外周端部よりも張り出した張出し位置とすることができる。そして、各什器のスペーサー先端部同士を突き合わせて当接させることで、それぞれの什器の天板同士の間に所定の隙間を確保することができる。また、スペーサーの張出し方向に什器を壁に付けて配置する際にも同様に、ベース部材から張り出したスペーサー先端部を壁に当接させることで、天板と壁との間に固定された所定の隙間を確保することができる。
このように、什器が固定された状態で積極的に上記隙間が形成されることから、天板同士の間や、天板と壁との間に物体が挟み込まれることを防止することができる。
【００１１】
また、上述したような什器同士を並べたり、壁に付けて配置しない場合には、スペーサーを縮めることで、ベース部材に収納された状態でスペーサー先端部が天板の内方に位置した収納位置となり、見映えが良好となるうえ、什器を使用する際にスペーサーが邪魔になることがない。
【００１２】
また、本発明に係る什器は、前記ベース部材は、一方向に延在する形状をなし、前記スペーサーの前記収納位置から前記張出し位置への方向は、前記ベース部材の延在方向に一致していることを特徴としてもよい。
【００１３】
この場合には、張出し位置にあるスペーサー先端部の張出し長が大きいとき、すなわちスペーサーの張出し方向の長さが長い場合でも、スペーサーをベース部材の延在方向に沿って出没させることができ、収納位置にあるスペーサーをベース部材に収納することが可能となる。
【００１４】
また、本発明に係る什器は、前記スペーサーは前記ベース部材の延在方向の端部に対して出没可能にスライドすることを特徴としてもよい。
【００１５】
この場合には、ベース部材の側面から水平方向に収納位置と張出し位置との間でスライドさせることで、スペーサーを出没させることができる。
【００１６】
また、本発明に係る什器では、前記スペーサー先端部の外周部の少なくとも一部が前記スペーサーのスライド方向とは異なる方向で前記スペーサー先端部の外方に向けて張り出し、又は前記スペーサー先端部の内方に向けて凹む収納位置決め係止部が設けられ、前記スペーサーは、前記収納位置において、前記収納位置決め係止部が前記ベース部材に係止して収納方向への移動が規制されていることが好ましい。
【００１７】
この場合には、収納位置においてスペーサー先端部の収納位置決め係止部がベース部材に係止し、収納方向への移動が規制され、スペーサー先端部がベース部材から突出した状態の位置に位置決めすることができる。そのため、スペーサーを張出し位置に張り出す際には、スペーサー先端部を取っ掛かりにしてスペーサーを引き出す操作を容易に行うことができる。
【００１８】
また、本発明に係る什器では、前記天板が前記脚部によって昇降可能に支持されていることを特徴としてもよい。
【００１９】
この場合には、天板が昇降可能な場合であっても、前述したように什器の天板同士の間、或いは天板と壁との間に所定の隙間を確保することができることから、天板の昇降に伴う挟まれ等を抑制することができる。
【００２０】
また、本発明に係る什器では、前記ベース部材は、筒状部材からなり、該ベース部材の下面には下壁を貫通する支持部を有するアジャスターを備え、前記スペーサーの下面には、前記支持部が挿通され前記スペーサーの移動方向に延びる開口が形成されていることが好ましい。
【００２１】
この場合には、平面視で収納位置にあるスペーサーの収納領域にアジャスターが配置される場合であっても、スペーサーを位置変更する際に、スペーサーの開口によってベース部材の下壁を貫通するアジャスターの支持部に干渉することなく移動させることができる。
【発明の効果】
【００２２】
本発明の什器によれば、手間や時間を低減できる簡単な作業により、隣り合う什器の天板同士の間隔や、天板と壁との間隔を一定に保持することができる。
【図面の簡単な説明】
【００２３】
【図１】本発明の実施の形態によるデスク装置の全体構成を斜め後方から見た斜視図である。
【図２】図１に示すデスク装置を後方から見た正面図である。
【図３】デスク装置を幅方向から見た側面図である。
【図４】デスク装置を上方からみた平面図である。
【図５】ベース部材に設けられた張出し位置にあるスペーサーの構成を示す幅方向から見た側面図である。
【図６】ベース部材に設けられたスペーサーの構成を示す図であって、（ａ）は上方から見た図、（ｂ）は（ａ）に示すＡ−Ａ線矢視図である。
【図７】ベース部材に設けられたスペーサーの構成を示す図であって、（ａ）は図６（ａ）に示すＢ−Ｂ線断面図、（ｂ）は図７（ａ）に示すＣ−Ｃ線断面図であって、スペーサーを下方から見た図である。
【図８】デスク装置同士を幅方向に並べて配置した側面図である。
【図９】デスク装置を壁に付けて配置した側面図である。
【図１０】第１変形例によるスペーサーの構成を示す上方から見た平面図であって、（ａ）は収納位置の図、（ｂ）は張出し位置の図である。
【図１１】第２変形例によるスペーサーの構成を示す斜視図であって、（ａ）は収納位置の図、（ｂ）は張出し位置の図である。
【図１２】図１１に示すスペーサーを幅方向から見た一部破断した側面図であって、（ａ）は張出し位置の図、（ｂ）は収納位置の図である。
【図１３】第３変形例によるベース部材とスペーサーの構成を示す斜視図である。
【図１４】第４変形例によるベース部材とスペーサーの構成を示す斜視図である。
【図１５】第５変形例によるベース部材とスペーサーの構成を示す斜視図である。
【図１６】第６変形例によるベース部材とスペーサーの構成を示す上面図である。
【図１７】第７変形例によるベース部材とスペーサーの構成を示す上面図であって、（ａ）は収納位置の図、（ｂ）は張出し位置の図である。
【発明を実施するための形態】
【００２４】
以下、本発明の実施形態による什器について、図面に基づいて説明する。
【００２５】
図１乃至図４に示す本実施形態によるデスク装置１（什器）は、天板１０と、床面Ｆ上に互いに間隔をあけて配置され、天板１０を昇降可能に支持し、上下方向Ｄｖに伸縮可能に構成された一対の天板支持脚１１，１１（脚部）と、を備えている。
【００２６】
ここで、本実施の形態では、床面Ｆ上に床面Ｆに対して平行な一方向に配置される一対の天板支持脚１１，１１の離間方向は上方から見た平面視で互いに平行であり、この離間方向を幅方向Ｄｈといい、前記平面視で幅方向Ｄｈに直交する方向を前後方向Ｄｆという。前後方向Ｄｆにおいて、天板１０に向かって着座した人の手前側を前方、前側といい、その反対側を後方、後側という。
【００２７】
天板支持脚１１は、下部筒状体１２と、中間筒状体１３と、上部筒状体１４と、を有している。下部筒状体１２、中間筒状体１３、及び上部筒状体１４は、それぞれ上下方向Ｄｖに延びる四角形筒状に形成されている。下部筒状体１２の内部に中間筒状体１３が収納され、中間筒状体１３の内部に上部筒状体１４が収納されている。天板支持脚１１は、モータ等の駆動機構（不図示）を備えており、この駆動機構により下部筒状体１２に対して中間筒状体１３及び上部筒状体１４をそれぞれ上下方向Ｄｖに移動させることで、天板支持脚１１を上下方向Ｄｖに伸縮させることができる。
【００２８】
天板支持脚１１の下端部には、ベース部材３１が設けられている。ベース部材３１は、床面Ｆ上に配置され、床面Ｆに平行で前後方向Ｄｆに延びている。ベース部材３１の下面には、ベース部材３１の高さ及びレベルの調整を行うアジャスター３２が設けられている。天板支持脚１１は、ベース部材３１において中央部分に配置されている。天板支持脚１１の下部筒状体１２は、ベース部材３１の下面側からボルト等により固定されている。
【００２９】
ベース部材３１は、中空の筒状部材からなり、その下壁３１ａの下方からアジャスター３２のねじ部３２ａ（支持部）が螺合されている。つまり、アジャスター３２は、ねじ部３２ａがベース部材３１の中空部に突出した状態で取り付けられている。
【００３０】
天板支持脚１１の上端部には、図２に示すように、天板１０を下方から支持する上部支持体１５が設けられている。上部支持体１５は、上部筒状体１４の上端部に固定され、前後方向Ｄｆに延びている。天板１０は、平面視長方形で、上部支持体１５の下方からボルト等により固定されている。天板１０の下面には、天板支持脚１１を昇降させるための天板昇降操作スイッチ（図示省略）が配置されている。
【００３１】
さらに、天板１０の下面には、上述した操作スイッチにより入力された信号に基づき、天板支持脚１１の昇降動作を制御するコントローラー（不図示）が設けられている。そして、上述した操作用スイッチ、コントローラー、昇降機構をなす天板支持脚１１が図示しない配線ケーブルによって接続されている。
【００３２】
また、天板１０の後端には、天板１０の幅方向Ｄｈ全体にわたって延在する配線ダクト１６が取り付けられている。配線ダクト１６は、天板１０の後端１０ｂから下方に延ばされた支持壁１６Ａと、支持壁１６Ａの下端から前方に向けて延ばされ配線等を収容する収容溝部１６Ｂと、を有している。そのため、収容溝部１６Ｂは、天板１０の下方に位置するとともに、後方から見たときに収容溝部１６Ｂに収容される配線等が支持壁１６Ａによって隠れて見えにくくなっている。
【００３３】
図５、及び図６（ａ）、（ｂ）に示すように、ベース部材３１の後端３１ｂ（側面の一部）には、ベース部材３１が延在する長手方向（前後方向Ｄｆ）と平行な方向にスライドさせることにより出没可能に設けられたスペーサー２０が備えられている。
スペーサー２０は、ベース部材３１の内側に嵌合する断面視矩形の中空の筒状部材２１と、筒状部材２１の突出側（後側）の端部を塞ぐ蓋板２２と、を有している。ここで、蓋板２２の後端面は、スペーサー先端部２０ａとなっている。
【００３４】
スペーサー２０は、図４に示す上面視において、ベース部材３１の内側に収納された状態でスペーサー先端部２０ａが天板１０の内方に位置した収納位置Ｐ１と、スペーサー先端部２０ａが天板１０の外周端部１０ａよりも張り出した張出し位置Ｐ２と、の間でスライド可能に設けられている（図１参照）。
そして、収納位置Ｐ１において、蓋板２２（スペーサー先端部２０ａ）の外周部２２ａ（収納位置決め係止部）がスペーサー２０のスライド方向Ｘ１に直交する方向の外側に向けて張り出し、スペーサー先端部２０ａがベース部材３１の後端３１ｂから外方に位置している。
【００３５】
また、図７（ａ）、（ｂ）に示すように、スペーサー２０における筒状部材２１の下面２１Ａには、アジャスター３２のねじ部３２ａが挿通されスペーサー２０のスライド方向Ｘ１の全体にわたって延びる開口２０ｂが形成されている。
【００３６】
次に、上述したデスク装置１（什器）の作用について、図面に基づいて詳細に説明する。
図１に示すように、本実施の形態では、ベース部材３１を床面Ｆ上に設置した状態のままベース部材３１の側面となる後端３１ｂから前後方向Ｄｆにスペーサー２０をスライドさせることを容易に行うことができるので、スペーサー２０を収納位置Ｐ１と張出し位置Ｐ２との間で出没させる作業にかかる手間と時間を低減することができる。
【００３７】
そして、図８に示すように、スペーサー２０のスライド方向Ｘ１に沿ってデスク装置１、１同士を背中合わせに対向させて配置する際には、デスク装置１、１同士のそれぞれのスペーサー２０をスライドさせてベース部材３１から張り出すことで、各スペーサー先端部２０ａが天板１０の外周端部１０ａよりも張り出した張出し位置Ｐ２とすることができる。そして、各デスク装置１のスペーサー先端部２０ａ、２０ａ同士を突き合わせて当接させることで、それぞれのデスク装置１の天板１０、１０同士の間に所定の隙間Ｓを確保することができる。
【００３８】
また、図９に示すように、スペーサー２０の張出し方向Ｘ２にデスク装置１の後側を壁Ｈに付けて配置する際にも同様に、ベース部材３１から張り出したスペーサー先端部２０ａを壁Ｈに当接させることで、天板１０と壁Ｈとの間に固定された所定の隙間Ｓを確保することができる。
このように、デスク装置１が固定された状態で積極的に上記隙間Ｓが形成されることから、天板１０、１０同士の間や、天板１０と壁Ｈとの間に物体が挟み込まれることを防止することができる。
【００３９】
また、上述したようなデスク装置１、１同士を並べたり、デスク装置１を壁Ｈに付けて配置しない場合には、図１、図３、及び図４に示すように、スペーサー２０を縮めることで、ベース部材３１に収納された状態でスペーサー先端部２０ａが天板１０の内方に位置した収納位置Ｐ１となり、見映えが良好となるうえ、デスク装置１を使用する際にスペーサー２０が邪魔になることがない。
【００４０】
また、本実施の形態では、スペーサー２０のスライド方向Ｘ１がベース部材３１の延在方向（前後方向Ｄｆに相当）一致し、スペーサー２０がベース部材３１の後端３１ｂに対して出没可能にスライドする構成となっている。そのため、張出し位置Ｐ２にあるスペーサー先端部２０ａの張出し長が大きいとき、すなわちスペーサー２０のスライド方向Ｘ１に長い場合でも、スペーサー２０をベース部材３１の延在方向に沿って出没させることができ、収納位置Ｐ１にあるスペーサー２０をベース部材３１に収納することが可能となる。
【００４１】
また、本実施の形態では、収納位置Ｐ１においてスペーサー先端部２０ａがベース部材３１の後端３１ｂよりも外側に位置しているので、スペーサー２０を張出し位置Ｐ２に張り出す際に蓋板２２のスペーサー先端部２０ａの外周部２２ａを取っ掛かりにしてスペーサー２０を引き出す操作を容易に行うことができる。
【００４２】
また、本実施の形態では、天板１０が昇降可能な場合であっても、図８に示すようなデスク装置１の天板１０、１０同士の間、或いは図９に示すような天板１０と壁Ｈとの間に所定の隙間Ｓを確保することができることから、天板１０の昇降に伴う挟まれ等を抑制することができる。
【００４３】
また、図７（ａ）、（ｂ）に示すように、本実施の形態のように平面視で収納位置Ｐ１にあるスペーサー２０の収納領域にアジャスター３２が配置される場合であっても、スペーサー２０のスライドの際に、スペーサー２０の開口２０ｂによってベース部材３１の下壁３１ａを貫通するアジャスター３２のねじ部３２ａに干渉することなくスライドさせることができる。
【００４４】
上述のように本実施の形態によるデスク装置１では、手間や時間を低減できる簡単な作業により、隣り合うデスク装置１の天板１０、１０同士の間隔や、天板１０と壁Ｈとの間隔を一定に保持することができる。
【００４５】
次に、上述した実施の形態の変形例について、図面に基づいて説明する。
なお、上述した実施の形態の構成要素と同一機能を有する構成要素には同一符号を付し、これらについては、説明が重複するので詳しい説明は省略する。
【００４６】
（第１変形例）
図１０（ａ）、（ｂ）に示す第１変形例は、ベース部材３１の長手方向の中間部の側面（中間側部３１ｃ）から幅方向Ｄｈの外側に向けてスペーサー２０Ａが張り出す構成となっている。この場合も、スペーサー２０Ａは、上面視において、図１０（ａ）に示すようなベース部材３１に収納された状態でスペーサー先端部２０ａが天板１０の内方に位置した収納位置Ｐ１と、図１０（ｂ）に示すようなスペーサー先端部２０ａが天板１０の外周端部１０ａよりも張り出した張出し位置Ｐ２と、の間でスライド可能に設けられている。
【００４７】
第１変形例では、スペーサー２０Ａが幅方向Ｄｈにスライドするため、スペーサー２０Ａの張出し方向Ｘ２に沿ってデスク装置１、１を幅方向Ｄｈに並べて配置する場合には、デスク装置１、１同士のそれぞれのスペーサー２０Ａをスライドさせてベース部材３１の中間側部３１ｃから張り出すことで、各スペーサー先端部２０ａが天板１０の外周端部１０ａよりも張り出した張出し位置Ｐ２とすることができる。そして、各デスク装置１のスペーサー先端部２０ａ同士を突き合わせて当接させることで、それぞれのデスク装置１の天板１０、１０同士の間に所定の隙間Ｓ（図８参照）を確保することができる。
【００４８】
また、スペーサー２０Ａの張出し方向にデスク装置１の幅方向Ｄｈの側方を壁Ｈ（図９参照）に付けて配置する際にも同様に、ベース部材３１から張り出したスペーサー先端部２０ａを壁Ｈに当接させることで、天板１０と壁Ｈとの間に固定された所定の隙間Ｓを確保することができる。
このように、デスク装置１が固定された状態で積極的に上記隙間Ｓが形成されることから、天板１０、１０同士の間や、天板１０と壁Ｈとの間に物体が挟み込まれることを防止することができる。
【００４９】
（第２変形例）
図１１（ａ）、（ｂ）に示す第２変形例によるスペーサー２０Ｂは、ベース部材３１の後端３１ｂに対してスライド可能に外嵌した構成となっている。上述した実施の形態では、図１及び図６（ａ）に示すようにスペーサー２０がベース部材３１の後端３１ｂに対して、内側にスライド可能に嵌合した構成であり、外嵌させた点で相違している。
第２変形例の場合も、図１１（ａ）に示す収納位置Ｐ１と、図１１（ｂ）に示す張出し位置Ｐ２との間で、容易にスペーサー２０Ｂを水平方向（前後方向Ｄｆ）にスライドさせることができる。
【００５０】
また、図１２（ａ）、（ｂ）に示すように、第２変形例によるスペーサー２０Ｂには、中空の筒状部材２１の内面においてスペーサー先端部２０ａの内方に向けて凹む内向き突起部２３（収納位置決め係止部）が設けられている。この内向き突起部２３は、筒状部材２１の周方向において、部分的に設けられてもよいし、全周にわたって設けられていてもよい。
この場合には、図１２（ｂ）に示す収納位置Ｐ１において、スペーサー先端部２０ａに設けられる内向き突起部２３がベース部材３１の後端３１ｂに係止し、収納方向への移動が規制される。すなわち、スペーサー２０Ｂをスペーサー先端部２０ａがベース部材３１から突出した状態の位置に位置決めすることができる。そのため、スペーサー２０Ｂを図１２（ａ）に示す張出し位置Ｐ２に張り出す際には、スペーサー先端部２０ａを取っ掛かりにしてスペーサー２０Ｂを引き出す操作を容易に行うことができる。
【００５１】
以上、本発明による什器の実施の形態について説明したが、本発明は上記の実施の形態に限定されるものではなく、その趣旨を逸脱しない範囲で適宜変更可能である。
【００５２】
例えば、本実施の形態によるスペーサー２０は、収納位置Ｐ１において、スペーサー先端部２０ａの外周部がスペーサー２０のスライド方向に直交する方向の外側に向けて張り出し、そのスペーサー先端部２０ａがベース部材３１から外方に位置した状態で設けられいるが、このような構成であることに限定されることはない。すなわち、スペーサー先端部２０ａの外周縁に突出部２０ｃが形成されない構成で、スペーサー２０全体がベース部材３１の内側に収納されるような構成とすることも可能である。
【００５３】
また、本実施の形態では、スペーサーがベース部材に対してスライドすることにより収納位置Ｐ１と張出し位置Ｐ２との間で位置変更可能に設けた構成としているが、スペーサーの位置変更手段としてスライドさせることに限定されることはない。例えば、スペーサーはベース部材に対して収納位置Ｐ１と張出し位置Ｐ２のそれぞれの位置で着脱可能に設けられ、スペーサーをベース部材から一旦取り外して位置を変更して取り付けるような位置変更手段を採用することも可能である。
【００５４】
また、本実施の形態のデスク装置１は、天板１０が天板支持脚１１によって昇降可能に支持された構成としているが、天板１０が昇降しない構成であってもかまわない。すなわち、天板支持脚１１の構成として、本実施の形態のような複数の筒状体（下部筒状体１２、中間筒状体１３、上部筒状体１４）を設けることに限定されるものではない。
【００５５】
さらに、本実施の形態では、デスク装置１を什器の対象としているが、デスクに限定されることはなく、他の什器であってもかまわない。要は、天板と、床面Ｆ上に設置されて天板を支持する脚部と、脚部の下端に設けられるベース部材が設けられている什器であればよいのである。
【００５６】
さらにまた、本実施の形態では、スペーサー２０の下面にアジャスター３２のねじ部３２ａが挿通されスペーサー２０のスライド方向に延びる開口２０ｂが形成されているが、アジャスター３２の位置が、収納位置Ｐ１のスペーサー２０に干渉しない位置にある場合には、上述したようなスペーサー２０の開口２０ｂを省略することも可能である。
【００５７】
また、ベース部材３１の形状として、上述した実施の形態や変形例のような一方向に延在する長尺の筒状部材であることに限定されることはない。そして、ベース部材３１の断面形状がスペーサー２０の断面形状と略一致している構成であることにも制限されることはない。
【００５８】
例えば、図１３に示す第３変形例は、ベース部材３１Ａの横幅がスペーサー２０よりも広い形状となっている。つまり、上述した実施の形態では、ベース部材３１の後端３１ｂとほぼ同面積のスペーサー２０が配置されているが、第３変形例では、ベース部材３１の後端３１ｂの横幅の中央部分に開口部（図示省略）が形成されており、この開口部からスペーサー２０がスライドすることにより出没可能となっている。
【００５９】
さらに、上述した実施の形態及び変形例では、ベース部材３１の後端３１ｂに対して１つのスペーサーがスライドして出没する構成となっているが、ベース部材３１の側面から出没するスペーサーの数量は、２つ以上であっても良い。また、１つのベース部材３１に対して水平方向にスライドするものであれば、スペーサーの出没方向も前後方向Ｄｆのみであったり、幅方向Ｄｈのみであることに制限されず、前後方向Ｄｆと幅方向Ｄｈのそれぞれの方向に対応してスライドするスペーサーが設けらていてもよい。
【００６０】
例えば、図１４に示す第４変形例は、ベース部材３１Ｂの後端３１ｂにおいて２つのスペーサー２０、２０が前後方向Ｄｆに出没可能に設けられている。この場合のベース部材３１Ｂは、上述した第３変形例のベース部材３１Ａよりもさらに横幅が大きいものである。２つのスペーサー２０は、ベース部材３１Ｂの後端３１ｂにおける幅方向Ｄｈの両側に互いに間隔をあけて配置されている。
【００６１】
第４変形例の場合には、上述したようにデスク装置１、１同士を並べて配置する場合や、デスク装置１を壁Ｈに付けて配置する場合に、複数のスペーサー２０を張出し位置Ｐ２にして、スペーサー先端部２０ａ、２０ａ同士を当接させ、或いはスペーサー先端部２０ａと壁Ｈとを当接させることができるので、より安定した状態でデスク装置１を固定することができ、天板１０、１０同士や、天板１０と壁Ｈとの間の隙間Ｓを保持することができる（図８及び図９参照）。
【００６２】
図１５に示す第５変形例では、ベース部材３１Ｃが、上面視でＨ型形状をなし、前後方向Ｄｆに延在する一対の長尺のベース部３１ｄ、３１ｄが幅方向Ｄｈに間隔をあけて配置され、前後方向Ｄｆの中央で天板支持脚１１を支持する連結部３１ｅによって接続された構成となっている。そして、各ベース部３１ｄ、３１ｄの後端３１ｂから水平方向にスライドさせることにより出没可能にスペーサー２０が設けられている。
【００６３】
図１６に示す第６変形例は、ベース部材３１Ｄが上面視で略くの字状に折れた形状をした構成の一例である。具体的にベース部材３１Ｄは、１本の天板支持脚１１（脚部）が接続される部分で折れ曲がっており、折れ曲がった一方のベース部３１Ｄａの端面３１ｃに出没可能なスペーサー２０Ｃが設けられている。
【００６４】
図１７（ａ）、（ｂ）に示す第７変形例は、ベース部材３１Ｅが上面視で円弧状に湾曲した形状をした構成の一例である。具体的にベース部材３１Ｅは、延在方向の略中央に１本の天板支持脚１１（脚部）が接続されており、天板支持脚１１を挟んだ一方のベース部３１Ｅａの端面３１ｃに出没可能なスペーサー２０Ｄが設けられている。すなわち、スペーサー２０Ｄもベース部材３１Ｅの円弧形状に沿った円弧状に形成されている。
【００６５】
その他、本発明の趣旨を逸脱しない範囲で、上記した実施の形態における構成要素を周知の構成要素に置き換えることは適宜可能である。
【符号の説明】
【００６６】
１  デスク装置（什器）
１０  天板
１１  天板支持脚（脚部）
２０、２０Ａ、２０Ｂ、２０Ｃ、２０Ｄ  スペーサー
２０ａ  スペーサー先端部
２０ｂ  開口
２２  蓋板
２２ａ  外周部（収納位置決め係止部）
２３  内向き突起部（収納位置決め係止部）
３１、３１Ａ、３１Ｂ、３１Ｃ、３１Ｄ、３１Ｅ  ベース部材
３１ａ  下壁
３１ｂ  後端
３２  アジャスター
３２ａ  ねじ部（支持部）
Ｆ  床面
Ｈ  壁
Ｐ１  収納位置
Ｐ２  張出し位置
Ｓ  隙間
Ｄｆ  前後方向
Ｄｈ  幅方向
【図１】
2019062941.tif 000003
【図２】
2019062941.tif 000004
【図３】
2019062941.tif 000005
【図４】
2019062941.tif 000006
【図５】
2019062941.tif 000007
【図６】
2019062941.tif 000008
【図７】
2019062941.tif 000009
【図８】
2019062941.tif 000010
【図９】
2019062941.tif 000011
【図１０】
2019062941.tif 000012
【図１１】
2019062941.tif 000013
【図１２】
2019062941.tif 000014
【図１３】
2019062941.tif 000015
【図１４】
2019062941.tif 000016
【図１５】
2019062941.tif 000017
【図１６】
2019062941.tif 000018
【図１７】
2019062941.tif 000019